(57)【要約】【課題】データベース上の薬の服用条件を変更する処理を簡易化する。【解決手段】患者ごと、服用条件ごとに患者が服用する薬の情報をグループ分けして格納する処方箋ＤＢを参照して、表示部の表示を制御する表示制御部に対し、共通する服用条件が設定された第１の薬グループを表示装置上に表示させる指示を出力し（Ｓ１２）、第１の薬グループの一部であり、１又は複数の薬を含む第２の薬グループについての服用条件を共通する服用条件とは異なる服用条件に変更する指示を受け付けたこと（Ｓ２０）に応じて、第２の薬グループと、第１の薬グループから第２の薬グループを除いた薬グループとを異なる薬グループとして表示部上に表示させる指示を表示制御部に対して出力する（Ｓ２２）、処理をコンピュータに実行させる。【選択図】図５
2014071725.tif 000002
【特許請求の範囲】
【請求項１】
患者ごと、服用条件ごとに患者が服用する薬の情報をグループ分けして格納するデータベースを参照して、表示装置の表示を制御する表示制御部に対し、共通する服用条件が設定された第１の薬グループを前記表示装置上に表示させる指示を出力し、
前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する、処理をコンピュータに実行させることを特徴とする薬情報管理プログラム。
【請求項２】
前記第２の薬グループの服用条件が変更されたことに応じて、前記第２の薬グループと、前記第１の薬グループから前記第２の薬グループを除いた薬グループと、を異なる薬グループとして前記データベースに格納する、処理を前記コンピュータに更に実行させることを特徴とする請求項１に記載の薬情報管理プログラム。
【請求項３】
患者ごと、服用条件ごとに患者が服用する薬の情報をグループ分けして格納するデータベースと、
前記データベースを参照して、表示装置の表示を制御する表示制御部に対して、共通する服用条件が設定された第１の薬グループを前記表示装置上に表示させる指示を出力する第１指示出力部と、
前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する第２指示出力部と、を備える薬情報管理装置。
【請求項４】
患者ごと、服用条件ごとに患者が服用する薬の情報をグループ分けして格納するデータベースを参照して、表示装置の表示を制御する表示制御部に対し、共通する服用条件が設定された第１の薬グループを前記表示装置上に表示させる指示を出力する工程と、
前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する工程と、をコンピュータが実行することを特徴とする薬情報管理方法。
【発明の詳細な説明】
【技術分野】
【０００１】
本件は、薬情報管理プログラム、薬情報管理装置及び薬情報管理方法に関する。
【背景技術】
【０００２】
現在、医療現場においては、膨大な種類の薬を正確に取り扱うために処方箋の情報をデータベースで管理している（例えば、特許文献１、２参照）。
【０００３】
最近においては、薬を投与等する人が薬の情報を把握しやすくするため、服用条件（例えば服用期間、服用回数、服用タイミングなど）ごとに薬のデータを纏めてデータベースに格納する方法が採用されることがある。この場合、データベースには服用条件を主として薬名情報が登録されるため、データベースに基づいた表示を行うことで、薬を投与等する人にとってわかりやすい表示を実現することができる。
【０００４】
ところで、医師が患者に薬を処方する場合、前回処方した処方箋データを流用する場合がある。しかるに、今回処方する薬と前回処方した薬とが同一であっても、患者の病状等に応じて服用条件が変化する場合があり、このような場合、医師は、データベースに登録されている服用条件を変更する必要が生じる。
【先行技術文献】
【特許文献】
【０００５】
【特許文献１】特開２００３−１６２５８１号公報
【特許文献２】特開２００４−１２６８９４号公報
【発明の概要】
【発明が解決しようとする課題】
【０００６】
しかしながら、薬の服用条件を主として薬名情報が登録されたデータベースを利用する場合、医師が薬の服用条件を変更するためには、変更前の服用条件に対応付けられた薬名情報の中から変更する薬名情報を削除するとともに、削除した薬名情報を変更後の服用条件に対応付けて登録する作業が必要であった。
【０００７】
１つの側面では、本発明は、データベース上の薬の服用条件を変更する処理を簡易化することが可能な薬情報管理プログラム、薬情報管理装置及び薬情報管理方法を提供することを目的とする。
【課題を解決するための手段】
【０００８】
本明細書に記載の薬情報管理プログラムは、患者ごと、服用条件ごとに患者が服用する薬の情報をグループ分けして格納するデータベースを参照して、表示装置の表示を制御する表示制御部に対し、共通する服用条件が設定された第１の薬グループを前記表示装置上に表示させる指示を出力し、前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する、処理をコンピュータに実行させる薬情報管理プログラムである。
【０００９】
本明細書に記載の薬情報管理装置は、患者ごと、服用条件ごとに患者が服用する薬の情報をグループ分けして格納するデータベースと、前記データベースを参照して、表示装置の表示を制御する表示制御部に対して、共通する服用条件が設定された第１の薬グループを前記表示装置上に表示させる指示を出力する第１指示出力部と、前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する第２指示出力部と、を備えている。
【００１０】
本明細書に記載の薬情報管理方法は、患者ごと、服用条件ごとに患者が服用する薬の情報をグループ分けして格納するデータベースを参照して、表示装置の表示を制御する表示制御部に対し、共通する服用条件が設定された第１の薬グループを前記表示装置上に表示させる指示を出力する工程と、前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する工程と、をコンピュータが実行する薬情報管理方法である。
【発明の効果】
【００１１】
本実施例に記載の薬情報管理プログラム、薬情報管理装置及び薬情報管理方法は、データベース上の薬の服用条件を変更する処理を簡易化することができるという効果を奏する。
【図面の簡単な説明】
【００１２】
【図１】一実施形態に係る情報処理システムの構成を概略的に示す図である。
【図２】図２（ａ）は、サーバのハードウェア構成図であり、図２（ｂ）は、端末のハードウェア構成図である。
【図３】サーバ及び端末の機能ブロック図である。
【図４】処方箋ＤＢの一例を示す図である。
【図５】図５（ａ）は、画面表示に関する処理のフローチャートであり、図５（ｂ）は、行挿入に関する処理のフローチャートである。
【図６】画面表示例を示す図（その１）である。
【図７】画面表示例を示す図（その２）である。
【図８】画面表示例を示す図（その３）である。
【図９】画面入力に関する処理のフローチャートである。
【図１０】画面表示例を示す図（その４）である。
【図１１】画面表示例を示す図（その５）である。
【図１２】画面表示例を示す図（その６）である。
【図１３】画面表示例を示す図（その７）である。
【図１４】画面表示例を示す図（その８）である。
【図１５】データ更新に関する処理を示すフローチャートである。
【図１６】更新後の処方箋ＤＢの一例を示す図である。
【発明を実施するための形態】
【００１３】
以下、情報処理システムの一実施形態について、図１〜図１６に基づいて詳細に説明する。図１には、一実施形態に係る情報処理システム１００の概略構成が示されている。
【００１４】
情報処理システム１００は、病院等に設置されるシステムであり、図１に示すように、薬情報管理装置としてのサーバ１０と、端末６０と、を備える。サーバ１０及び端末６０は、インターネットやＬＡＮなどのネットワーク８０に接続されている。
【００１５】
サーバ１０は、患者ごとの処方箋に関するデータをデータベース（処方箋ＤＢ）にて保持している。サーバ１０は、端末６０からの要求に応じて又は必要に応じて、処方箋ＤＢに格納されているデータから画面データを生成し、端末６０に対して送信する。
【００１６】
ここで、サーバ１０は、図２（ａ）に示すようなハードウェア構成を有している。図２（ａ）に示すように、サーバ１０は、ＣＰＵ（Central Processing Unit）９０、ＲＯＭ（Read Only Memory）９２、ＲＡＭ（Random Access Memory）９４、記憶部（ここではＨＤＤ（Hard Disk Drive））９６、ネットワークインタフェース９７及び可搬型記憶媒体用ドライブ９９等を備えており、サーバ１０の構成各部は、バス９８に接続されている。サーバ１０では、ＲＯＭ９２あるいはＨＤＤ９６に格納されているプログラム（薬情報管理プログラムを含む）、或いは可搬型記憶媒体用ドライブ９９が可搬型記憶媒体９１から読み取ったプログラム（薬情報管理プログラムを含む）をＣＰＵ９０が実行することにより、図３の各部の機能が実現される。
【００１７】
図１に戻り、端末６０は、医師等が使用する端末であり、電子カルテの作成や閲覧、処方箋の作成等を実行するための端末である。端末６０は、サーバ１０から画面データを取得し、表示したり、医師から入力された情報をサーバ１０に送信したりする。ここで、端末６０は、図２（ｂ）に示すようなハードウェア構成を有している。図２（ｂ）に示すように、端末６０は、ＣＰＵ１９０、ＲＯＭ１９２、ＲＡＭ１９４、記憶部（ＨＤＤ）１９６、ネットワークインタフェース１９７、表示装置としての表示部１９３、入力部１９５、及び可搬型記憶媒体用ドライブ１９９等を備えており、端末６０の構成各部は、バス１９８に接続されている。なお、表示部１９３は、液晶ディスプレイ等を含み、入力部１９５は、キーボードやマウス等を含んでいる。端末６０では、ＲＯＭ１９２あるいはＨＤＤ１９６に格納されているプログラム、或いは可搬型記憶媒体用ドライブ１９９が可搬型記憶媒体１９１から読み取ったプログラムをＣＰＵ１９０が実行することにより、図３の各部の機能が実現される。
【００１８】
図３には、サーバ１０及び端末６０の機能ブロック図が示されている。図３に示すように、端末６０は、ＣＰＵ１９０がプログラムを実行することで、入力情報送信部６２及び表示制御部６４の機能を実現する。また、サーバ１０は、ＣＰＵ９０がプログラムを実行することで、入力受付部１２、第１、第２指示出力部としての表示指示部１４、格納処理部としてのデータベース登録部１６の機能を実現する。なお、図３では、ＨＤＤ９６等に格納されている処方箋ＤＢ（データベース）２０も図示されている。
【００１９】
端末６０の入力情報送信部６２は、入力部１９５を介して医師等から入力された情報をサーバ１０（入力受付部１２）に送信する。表示制御部６４は、サーバ１０から送信されてきた画面データを取得し、当該画面データを表示部１９３上に表示する。
【００２０】
サーバ１０の入力受付部１２は、入力情報送信部６２から送信されてきた情報（入力情報）を取得し、表示指示部１４やデータベース登録部１６に対して送信する。表示指示部１４は、入力受付部１２から送信されてきた入力情報に基づいて処方箋ＤＢ２０を参照し、入力情報に応じた画面データを生成する。また、表示指示部１４は、生成した画面データを端末６０（表示制御部６４）に対して送信する。
【００２１】
データベース登録部１６は、医師等によって、端末６０の表示部１９３に表示されている画面データが変更された場合に、処方箋ＤＢ２０を更新する（変更内容を反映させる）。
【００２２】
処方箋ＤＢ２０は、医師が端末６０上で作成する処方箋の情報を格納するデータベースであり、図４に示すように、「薬名、用法、服用開始日」、「数量」、「単位」、「Ｒｐ」の各フィールドを有する。なお、処方箋ＤＢ２０は、患者ごとに作成されるものとする。
【００２３】
「薬名、用法、服用開始日」のフィールドは、医師が選択した薬の名称、「１日１回朝食後」などの用法、服用を開始した年月日のいずれかが格納される。「数量」及び「単位」のフィールドには、１回の服用における各薬の分量や、薬を服用する日数が格納される。「Ｒｐ」のフィールドは、用法ごとに薬をグループ化した場合における、グループの通し番号が入力される。すなわち、処方箋ＤＢ２０は、患者ごと、服用条件（用法）ごとに患者が服用する薬をグループ分けして格納するデータベースであるといえる。
【００２４】
なお、表示指示部１４が、処方箋ＤＢ２０に基づいて画面データを生成する場合、図６に示すような画面データが生成される。図６の画面データにおいては、Ｒｐごとにグループ分けした状態で、薬の情報（薬名、服用分量、用法、服用開始日）が表示される。例えば、図６のＲｐ＝１では、２０１２年８月２７日（月）から、アーチスト錠２０ｍｇとバイアスピリン錠１００ｍｇとディオバン錠８０ｍｇを各１錠ずつ、１日１回朝食後に３０日間服用する旨、定められている。なお、図６の最右列の変更ボタンは、薬名や数量などを変更する場合に押すボタンである。なお、用法の右隣りの変更ボタンは、同一Ｒｐに含まれる全ての薬の用法を変更する際に押すボタンである。
【００２５】
次に、本実施形態におけるサーバ１０の処理について、図５〜図１６に基づいて詳細に説明する。
【００２６】
（画面表示処理）
図５（ａ）には、画面表示に関する処理のフローチャートが示されている。なお、図５（ａ）は、医師等からの求めに応じて図６のような画面データを表示部１９３上に表示する場合のサーバ１０（表示指示部１４）の処理を示している。
【００２７】
図５（ａ）の処理では、まず、ステップＳ１０において、表示指示部１４が、入力情報送信部６２及び入力受付部１２を介して医師等からの表示要求を取得するまで待機する。ここで、医師等は、患者を指定した上で、当該患者の処方箋を表示する旨の要求を出すものとする。なお、本実施形態では、医師等は患者Ａを指定したものとする。
【００２８】
表示指示部１４は、表示要求を取得した段階（ステップＳ１０の判断が肯定された段階）で、処方箋ＤＢ２０の患者Ａのデータを参照し、表示すべき画面データ（図６）を生成する。そして、表示指示部１４は、表示制御部６４に対して、生成した画面データとともに表示指示を送信する。これにより、端末６０の表示部１９３上には、図６に示すような画面が表示されることになる。なお、図６では、同一の用法で同一Ｒｐの薬をグループとして表示しているといえる。その後は、ステップＳ１０に戻り、上記と同様の処理を繰り返す。
【００２９】
（行挿入処理）
図５（ｂ）には、行挿入に関する処理のフローチャートが示されている。ここで、行挿入処理とは、例えば、図６の「アーチスト錠２０ｍｇ」の用法を変更したいときに、アーチスト錠２０ｍｇの下に新たな用法を入力するための行を挿入することをいう。
【００３０】
図５（ｂ）の処理では、ステップＳ２０において、表示指示部１４が、医師等によって右クリックメニューから「行挿入」が選択されたという情報を入力情報送信部６２及び入力受付部１２を介して取得するまで待機する。
【００３１】
その後、図７に示すようにして医師等が右クリックメニューの中から「行挿入」を選択すると、ステップＳ２２に移行する。ステップＳ２２では、表示指示部１４は、右クリックメニューが開かれた行（図７では、バイアスピリン錠１００ｍｇの行）の上に新たな行を挿入した画面データを生成する。そして、表示指示部１４は、表示制御部６４に対して生成した画面データとともに表示指示を送信する。これにより、端末６０の表示部１９３上には、図８に示すような画面が表示されることになる。その後は、ステップＳ２０に戻り、上記と同様の処理を繰り返す。
【００３２】
なお、図８の画面では、前述した第１の薬グループ（アーチスト錠２０ｍｇ、バイアスピリン錠１００ｍｇ、ディオバン錠８０ｍｇ）の一部（アーチスト錠２０ｍｇのみを含むグループ（第２の薬グループ））についての服用条件を変更する指示（行挿入要求）を受け付けたことに応じて、第２の薬グループと、第１の薬グループから第２の薬グループを除いた薬グループ（バイアスピリン錠１００ｍｇ、ディオバン錠８０ｍｇ）と、を異なる薬グループとして表示しているといえる。
【００３３】
（画面入力処理）
図９には、画面入力に関する処理のフローチャートが示されている。ここで、画面入力処理は、画面上で医師等が右クリックメニューから「用法」を選択した場合の処理（用法を入力するための処理）を意味する。
【００３４】
図９の処理では、まず、ステップＳ３０において、表示指示部１４は、医師等が右クリックメニューから「用法」を選択したという情報を入力情報送信部６２及び入力受付部１２を介して取得するまで待機する。
【００３５】
その後、図１０に示すようにして医師等が右クリックメニューの中から「用法」を選択した段階で、ステップＳ３２に移行する。ステップＳ３２では、表示指示部１４は、「用法」を選択した行（右クリックメニューが開かれた行）に用法が既に存在しているか否かを判断する。ここでの判断が肯定された場合には、ステップＳ３４において、表示指示部１４が、メッセージ「ここでは用法選択できません」を表示する画面を作成し、当該画面とともに表示制御部６４に対して画面表示指示を送信する。例えば、医師等が図１０のディオパン錠８０ｍｇの下の欄において右クリックメニューを開き、「用法」を選択したような場合には、既に「用法」が存在しているので、上記ステップＳ３４の処理が行われることになる。
【００３６】
一方、ステップＳ３２の判断が否定された場合、すなわち、「用法」が存在していない場合（例えば、図１０の場合）には、ステップＳ３６に移行する。ステップＳ３６では、表示指示部１４は、用法選択画面を表示した画面データ（図１１参照）を生成し、表示制御部６４に対して生成した画面データとともに表示指示を送信する。この場合、端末６０の表示部１９３には、図１１に示すような画面が表示されることになる。
【００３７】
次いで、ステップＳ３８では、表示指示部１４は、用法選択画面上で用法が選択されたという情報を入力受付部１２を介して取得するまで待機する。
【００３８】
その後、用法が選択されると（図１１の用法選択画面の各項目が選択されると）、表示指示部１４は、ステップＳ４０に移行する。なお、図１１では、用法として、「１日１回朝食後」が選択された例が示されている。ステップＳ４０に移行すると、表示指示部１４は、選択された用法を表（空いている行）に展開した状態の画面データを生成し、表示制御部６４に対して生成した画面データとともに表示指示を送信する。これにより、図１０の空いている行に対して選択された用法が入力された画面（図１２参照）が端末６０の表示部１９３上に表示されることになる。なお、図１２において破線枠にて示す数量の欄（何日分かを入力する欄）には、ユーザが手入力で数値を入力するものとする。なお、図１３には、数量の欄に「１５日分」が入力された状態が示されている。
【００３９】
次いで、ステップＳ４２では、表示指示部１４が、行挿入時であるか否かを判断する。すなわち、図１０〜図１３のように行挿入時であるか、あるいは新たな薬を処方箋に追加するような場合であるか否かを判断する。ここでの判断が肯定された場合（図１０〜図１３のような場合）には、ステップＳ４４に移行する。そして、ステップＳ４４では、表示指示部１４が、分割して新たに作成される予定のＲｐ内（図１３では、アーチスト錠２０ｍｇが含まれる予定のＲｐ内）に服用開始日が存在するか否かを判断する。ここでの判断が肯定された場合には、服用開始日が存在するとして、図９の全処理を終了する。一方、ステップＳ４４の判断が否定された場合、すなわち、図１３に矢印にて示す用法の下の行に服用開始日が存在していない場合には、ステップＳ４６に移行する。
【００４０】
ステップＳ４６では、表示指示部１４は、服用開始日（例えば現段階で同一のＲｐにおいて定義されている服用開始日や、図９の処理を実行している当日の日付）を用法の下の行に展開する。そして、表示指示部１４は、Ｒｐ番号を調整した後（分割したグループそれぞれにＲｐ番号を割り当てた後）、調整後の確定した画面データ（図１４参照）を生成する。また、表示指示部１４は、表示制御部６４に対して生成した画面データとともに表示指示を送信する。これにより、端末６０の表示部１９３には、図１４に示すような画面が表示されることになる。
【００４１】
一方、ステップＳ４２の判断が否定された場合、すなわち、行挿入時の処理でない場合には、ステップＳ４８に移行する。ステップＳ４８では、表示指示部１４は、指定のＲｐ内に服用開始日が存在するか否かを判断する。ここでの判断が肯定された場合には、図９の全処理が終了するが、否定された場合には、ステップＳ４６に移行する。ステップＳ４６では、表示指示部１４は、服用開始日（例えば、図９の処理を実行している当日の日付）を用法の下の行に展開するとともに、Ｒｐ番号を調整した後、調整後の確定した画面データを生成する。そして、表示指示部１４は、表示制御部６４に対して生成した画面データとともに表示指示を送信することで、図９の全処理が終了する。
【００４２】
本実施形態では、用法ごとにグループ分けされて管理されている処方箋ＤＢ２０において一部の薬の用法を変更する場合に、元々用法が共通であった薬のうち、用法を変更する薬と変更しない薬を異なるグループとして表示しているため、図９の処理を行うことで、薬名の削除や再入力などすることなく、薬の用法を簡易に変更することが可能となっている。
【００４３】
（データ更新処理）
次に、図１５のフローチャートに沿って、データベース登録部１６によるデータ更新に関する処理について説明する。ここで、データ更新処理は、画面データが変更された場合に、処方箋ＤＢ２０のデータを更新する処理である。
【００４４】
図１５の処理では、ステップＳ６０において、データベース登録部１６が、端末６０上において画面上のデータが変更されるまで待機する。この場合、医師等によって、図１４に示すように、図６の状態からデータが変更され、Ｒｐが振り替えられたような場合に、ステップＳ６０の判断が肯定される。
【００４５】
医師等によって画面上のデータが変更され、ステップＳ６０の判断が肯定されると、ステップＳ６２に移行する。ステップＳ６２では、データベース登録部１６は、画面上における変更部分が反映されるように、処方箋ＤＢ２０のデータを更新する。なお、図６から図１４のようにデータが変更された場合には、データベース登録部１６は、図４から図１６のように処方箋ＤＢ２０を更新する（図１６の太枠内参照）。その後は、ステップＳ６０に戻り、上記と同様の処理を繰り返す。
【００４６】
なお、上記においては、データベース登録部１６は、画面上においてＲｐの値が振り替えられた後に、処方箋ＤＢ２０を更新する場合について説明したが、これに限られるものではない。例えば、データベース登録部１６は、画面上の表示が変更される毎（行挿入されたり、用法が入力されたり、服用開始日が入力される毎）に、処方箋ＤＢ２０を更新することとしてもよい。この場合、表示指示部は、更新後の処方箋ＤＢ２０に基づいて、画面データを生成することとしてもよい。
【００４７】
以上説明したように、本実施形態によると、表示指示部１４は、患者ごと、服用条件（用法）ごとに患者が服用する薬をグループ分けして格納する処方箋ＤＢ２０を参照して、共通する用法が設定された第１の薬グループ（例えば、図６のＲｐ＝１のグループ）を表示部１９３上に表示するよう表示制御部６４に対して指示を出す（Ｓ１２）。そして、表示指示部１４は、第１の薬グループの一部であり、１又は複数の薬を含む第２の薬グループ（例えば、アーチスト錠２０ｍｇのみを含むグループ）についての用法を変更する指示（行挿入指示）を受け付けたことに応じて、第２の薬グループと、第１の薬グループから第２の薬グループを除いた薬グループとを異なる薬グループとして表示するよう表示制御部６４に対して指示を出す（Ｓ２２）。これにより、第２の薬グループに含まれる薬名情報を第１の薬グループから削除するなどの作業を行わなくても、第２の薬グループの用法の変更を行うことができる。したがって、医師等が前回処方した処方箋データを流用するような場合で、かつ、用法を変更しなければならない場合であっても、簡易に服用条件の変更処理を行うことができる。
【００４８】
また、本実施形態では、第２の薬グループの服用条件（用法）が変更されたことに応じて、第２の薬グループと、第１の薬グループから第２の薬グループを除いた薬グループと、を異なる薬グループとして処方箋ＤＢ２０に登録する（Ｓ６２）。これにより、処方箋ＤＢ２０の薬名情報を削除したり、再入力したりせずに、服用条件の変更を登録できるので、処方箋ＤＢ２０への登録処理を簡素化することができる。
【００４９】
なお、上記実施形態では、図１３及び図１４に示すように、行挿入した後、服用開始日が入力された段階で、Ｒｐを振り替える場合について説明したが、これに限られるものではない。例えば、行挿入した直後に（図８の状態で）、Ｒｐを振り替えることとしてもよい。
【００５０】
なお、上記実施形態では、図１０に示すように、右クリックメニューから「用法」が選択された場合に、用法選択画面（図１１）を表示する場合について説明したが、これに限られるものではない。例えば、図１０の空いている行にマウスカーソルを合わせた状態で、特定のキー「／」や「Enter」が押された場合に、用法選択画面を表示するようにしてもよい。あるいは、画面上に右クリックメニューに含まれる項目と同様のボタンを設けておき、当該ボタンの中から「用法」のボタンが押された場合に、用法選択画面を表示するようにしてもよい。
【００５１】
なお、上記実施形態では、ステップＳ４２〜Ｓ４８において、服用開始日を自動的に画面上に表示する場合について説明したが、これに限られるものではない。例えば、医師等が手動で服用開始日を入力するようにしてもよい。
【００５２】
なお、上記実施形態では、薬情報管理装置がサーバ１０である場合について説明したが、これに限られるものではない。例えば、上記実施形態においてサーバ１０が有していた機能を端末６０が有していてもよい。
【００５３】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００５４】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００５５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００５６】
上述した実施形態は本発明の好適な実施の例である。但し、これに限定されるものではなく、本発明の要旨を逸脱しない範囲内において種々変形実施可能である。
【００５７】
なお、以上の説明に関して、更に以下の付記を開示する。
（付記１）  患者ごと、服用条件ごとに患者が服用する薬の情報をグループ分けして格納するデータベースを参照して、表示装置の表示を制御する表示制御部に対し、共通する服用条件が設定された第１の薬グループを前記表示装置上に表示させる指示を出力し、
前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する、処理をコンピュータに実行させることを特徴とする薬情報管理プログラム。
（付記２）  前記第２の薬グループの服用条件の変更を受け付ける処理を前記コンピュータに実行させることを特徴とする付記１に記載の薬情報管理プログラム。
（付記３）  前記第２の薬グループの服用条件が変更されたことに応じて、前記第２の薬グループと、前記第１の薬グループから前記第２の薬グループを除いた薬グループと、を異なる薬グループとして前記データベースに格納する、処理を前記コンピュータに更に実行させることを特徴とする付記１又は２に記載の薬情報管理プログラム。
（付記４）  患者ごと、服用条件ごとに患者が服用する薬の情報をグループ分けして格納するデータベースと、
前記データベースを参照して、表示装置の表示を制御する表示制御部に対して、共通する服用条件が設定された第１の薬グループを前記表示装置上に表示させる指示を出力する第１指示出力部と、
前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する第２指示出力部と、を備える薬情報管理装置。
（付記５）  前記第２の薬グループの服用条件の変更を受け付ける受付部を更に備える付記４に記載の薬情報管理装置。
（付記６）  前記第２の薬グループの服用条件が変更されたことに応じて、前記第２の薬グループと、前記第１の薬グループから前記第２の薬グループを除いた薬グループと、を異なる薬グループとして前記データベースに格納する格納処理部を更に備える付記４又は５に記載の薬情報管理装置。
（付記７）  患者ごと、服用条件ごとに患者が服用する薬の情報をグループ分けして格納するデータベースを参照して、表示装置の表示を制御する表示制御部に対し、共通する服用条件が設定された第１の薬グループを前記表示装置上に表示させる指示を出力する工程と、
前記第１の薬グループの一部であり、１又は複数の薬を含む第２の薬グループについての服用条件を前記共通する服用条件とは異なる服用条件に変更する指示を受け付けたことに応じて、前記第２の薬グループと、前記第１の薬グループから前記第２の薬グループを除いた薬グループとを異なる薬グループとして前記表示装置上に表示させる指示を前記表示制御部に対して出力する工程と、をコンピュータが実行することを特徴とする薬情報管理方法。
（付記８）  前記第２の薬グループの服用条件の変更を受け付ける工程を前記コンピュータが更に実行することを特徴とする付記７に記載の薬情報管理方法。
（付記９）  前記第２の薬グループの服用条件が変更されたことに応じて、前記第２の薬グループと、前記第１の薬グループから前記第２の薬グループを除いた薬グループと、を異なる薬グループとして前記データベースに格納する工程を、前記コンピュータが更に実行することを特徴とする付記７又は８に記載の薬情報管理方法。
【符号の説明】
【００５８】
１０  サーバ（薬情報管理装置）
１４  表示指示部（第１指示出力部、第２指示出力部）
１６  データベース登録部（格納処理部）
２０  処方箋ＤＢ（データベース）
６４  表示制御部
１９３  表示部（表示装置）
【図１】
2014071725.tif 000003
【図２】
2014071725.tif 000004
【図３】
2014071725.tif 000005
【図４】
2014071725.tif 000006
【図５】
2014071725.tif 000007
【図６】
2014071725.tif 000008
【図７】
2014071725.tif 000009
【図８】
2014071725.tif 000010
【図９】
2014071725.tif 000011
【図１０】
2014071725.tif 000012
【図１１】
2014071725.tif 000013
【図１２】
2014071725.tif 000014
【図１３】
2014071725.tif 000015
【図１４】
2014071725.tif 000016
【図１５】
2014071725.tif 000017
【図１６】
2014071725.tif 000018